(57)【要約】
【課題】この考案は、コスト、装着の両面から優れた効果を奏する衣服のサイズ表示装置の提供にある。
【解決手段】適宜の厚みの紙板の表面にサイズ文字、表題文字を少なくとも印刷手段等により設け、その外形の切込みを打抜き手段により入れる時、外形より内側に左右から互いに組み合う左ベルト通し押えと右ベルト通し押えの切込みを、ベルト通しの一方の側縁を対応するベルト通し押えの基端に寄せ付けた状態で、ベルト通しの反対側の側縁と反対側のベルト通し押えの先端には、所要長さだけ押え巾を反対側のベルト通し押えに有して、同じく打抜き手段により入れて左ベルト通し押えと右ベルト通し押え切り込み形成してなる衣服のサイズ表示装置。
【選択図】図３
0003100708.tif 000002
【実用新案登録請求の範囲】
【請求項１】
適宜の厚みの紙板の表面にサイズ文字、表題文字を少なくとも印刷手段等により設け、その外形の切込みを打抜き手段により入れる時、外形より内側に左右から互いに組み合う一方のベルト通し押えと他方側のベルト通し押えの切込みを、同じく打抜き手段により入れて一方のベルト通し押えと他方側のベルト通し押えを切抜き形成してなる衣服のサイズ表示装置。
【請求項２】
ベルト通しの一方の側縁を対応するベルト通し押えの基端に寄せ付けた状態で、ベルト通しの反対側の側縁と反対側のベルト通し押えの先端とに、所要長さだけ押え巾を反対側のベルト通し押えに有している、請求項１の衣服のサイズ表示装置。
【考案の詳細な説明】
【技術分野】
【０００１】
本考案は、衣服の、特にベルト通しを有するスラックス、パンツ類のサイズ表示装置に関するものである。
【背景技術】
【０００２】
従来、一般の流通商品では、図６に示すように、方形紙１１の表面片側半分１１ａにサイズ表示１２を設け、これを二つ折りした後、例えば、図７に示すように、ズボン１３の上端の帯部１３ａに被せ、内外に貫通する糸止め１４により止着してなる衣服のサイズ表示装置１０がある。
また、特許文献１では、公報に開示されるように、ベルト通し３に係合する係合環５と、表示板６からなる吊下げ表示板がある。また、特許文献２では、同じく公報に開示されるように、表示部１０と、この表示部１０の下部両側に、ベルと通しＢに挿入保持される延出部２０を備えた表示板がある。
【特許文献１】実開昭５９−１７８６６９号公報
【特許文献２】特開平９−２６９７３７号公報
【考案の開示】
【考案が解決しようとする課題】
【０００３】
流通商品で比較的一般的にみられる図６および図７に示す従来の衣服のサイズ表示装置１０は、衣服を貫通する糸により取付けられるもので、堅牢であるが、製造コスト高を招くものである。また、上端にまちが入るため厚みができ重ねる置き時または吊下げ展示の際に嵩張る欠点がある。
【０００４】
前記特許文献１では、ベルト通し３に係合する係合環５と、表示板６の二物品を製造する手間がある。また前記特許文献２では、表示部１０が延出部２０の上方に接続して突出するため、他と衝突しやすく、落ちやすい欠点がある。本考案は、かかる欠点の改善を目的になされたものである。
【課題を解決するための手段】
【０００５】
適宜の厚みの紙板の表面にサイズ文字、表題文字を少なくとも印刷手段等により設け、その外形の切込みを打抜き手段により入れる時、外形より内側に左右から互いに組み合う一方のベルト通し押えと他方側のベルト通し押えの切込みを、同じく打抜き手段により入れて一方のベルト通し押えと他方側のベルト通し押えを切抜き形成してなる衣服のサイズ表示装置にある。
【０００６】
ベルト通しの一方の側縁を対応するベルト通し押えの基端に寄せ付けた状態で、ベルト通しの反対側の側縁と反対側のベルト通し押えの先端とに所要長さだけ押え巾を反対側のベルト通し押えに有しているとよいものである。
【考案の効果】
【０００７】
本考案の衣服のサイズ表示装置は、前述のようになるから、表示板は、ロール状の紙板に予めサイズ文字、表題、商標等の必要な文字、記号、図形等を印刷し、その表面を必要により化粧処理して美麗な外観になすことができ、外形の切抜き時に、ベルト通し押えを同時に切抜き形成することができ、その衣服への装着も、全体をベルト通しの内側に差し入れた後、ベルト通し押えを引き起こしてベルト通しの外側へ出すことによって簡単、容易に行うことができ、一旦、装着後は、表示板の弾力により脱落するこがなく、サイズ表示機能およびその他表示機能を奏するものである。
【考案を実施するための最良の形態】
【０００８】
適宜の厚みの紙板の表面にサイズ文字、表題文字を少なくとも印刷手段等により設け、その外形の切込みを打抜き手段により入れる時、外形より内側に左右から互いに組み合う左ベルト通し押えと右ベルト通し押えの切込みを、ベルト通しの一方の側縁を対応するベルト通し押えの基端に寄せ付けた状態で、ベルト通しの反対側の側縁と反対側のベルト通し押えの先端とには、所要長さだけ押え巾を反対側のベルト通し押えに有して、同じく打抜き手段により入れて左ベルト通し押えと右ベルト通し押えを切抜き形成してなる衣服のサイズ表示装置。
【実施例】
【０００９】
以下、本考案の衣服のサイズ表示装置１を実施の一例示す図面により説明すると、適宜の厚みの紙板２の表面２ａにサイズ文字３、表題文字４を少なくとも印刷等の手段により設け、その外形２ｂの切込みを打抜き手段（図示しない）により入れる時、外形２ｂより内側に左右から互いに組合う左ベルト通し押え５ａ、５ａと右ベルト通し押え５ｂの切込み６を、同じく打抜き手段（図示しない）により入れて左ベルト通し押え５ａ、５ａと右ベルト通し押え５ｂを切抜き形成してなるものである。
【００１０】
本考案の衣服のサイズ表示装置１は、前述のように構成されるから、ズボン７への装着には、図４に示すように、ベルト通し８の内側へ左側より差し入れ、この時、左ベルト通し押え５ａ、５ａを引き起こしてその先端５ａ１、５ａ１から裏側にベルト通し８を差し入れ、基端５ａ２まで差し込む。次にその差し込んだ状態で右ベルト通し押え５ｂの先端５ｂ１をベルト押え８の内側から外側へ引出し、図３および図５に示すように、ベルト通し８の外側に配備させるものである。
【００１１】
ベルト通し８の左側縁８ａを左ベルト通し押え５ａ、５ａの基端５ａ２に寄せ付けた状態で、ベルト通し８の右側縁８ｂと右ベルト通し押え５ｂの先端５ｂ１とは、図５に示すように、Ｈの長さだけ押え巾を右ベルト通し押え５ｂは有しているため、ベルト通し８の右側縁８ｂが右ベルト通し押え５ｂの外方へ滑り出ることがなく、本考案の衣服のサイズ表示装置１は、一旦、ベルト通し８に装着すると左ベルト通し押え５ａ、５ａおよび右ベルト通し押え５ｂの弾力により支持し、ズボン７から脱落することはないのである。なお、前記左ベルト通し押え５ａ、５ａと右ベルト通し押え５ｂは、一例であって左右の位置を変更しても、また、その形状を変更しても、その組合せ段を増加させてもよいものである。
【産業上の利用可能性】
【００１２】
本考案の衣服のサイズ表示装置は、紙板に印刷工程、打抜工程により製造でき、大量生産に適し、安価に提供できる。また、衣服への装着においてもベルト通しの差し込みと、右ベルト通し押えの一部の引き出しで済み、簡単、容易に装着が行えるものである。よって、衣服のサイズ表示装置としてコスト、装着の両面から優れた効果を奏するものである。
【図面の簡単な説明】
【００１３】
【図１】本考案の衣服のサイズ表示装置の実施の一例を示す斜視図である。
【図２】同じく、正面図である。
【図３】同じく、本考案の衣服のサイズ表示装置を衣服に装着した表示状態を示す正面図ある。
【図４】同じく、本考案の衣服のサイズ表示装置を衣服に装着する課程を説明する拡大説明図である。
【図５】同じく、本考案の衣服のサイズ表示装置のベルト通し押えと、ベルト通しと係合寸法を説明する拡大係合寸法説明図である。
【図６】従来の衣服のサイズ表示装置を展開して示す展開表面図である。
【図７】従来の衣服のサイズ表示装置を衣服に装着した表示状態を示す正面図である。
【符号の説明】
【００１４】
１  衣服のサイズ表示装置
２  紙板
２ａ  表面
２ｂ  外形
３  サイズ文字
４  表題文字
５ａ  左ベルト通し押え
５ａ１  先端
５ａ２  基端
５ｂ  右ベルト通し押え
５ｂ１  先端
６  切り込み
７  ズボン
８  ベルト通し
８ａ  左側縁
８ｂ  右側縁
【図１】
0003100708.tif 000003
【図２】
0003100708.tif 000004
【図３】
0003100708.tif 000005
【図４】
0003100708.tif 000006
【図５】
0003100708.tif 000007
【図６】
0003100708.tif 000008
【図７】
0003100708.tif 000009